(57)【要約】【課題】簡易な構成で泡沫の消泡を促進できる洗浄装置を提供する。【解決手段】洗浄装置１は、水と洗剤で生成される泡沫を貯留可能な泡沫貯留部２と、泡沫貯留部２内に気泡を発生させる気泡発生部６と、すすぎ水を生成するすすぎ水生成部９と、すすぎ水にイオンを供給するイオン供給部２７と、泡沫及びすすぎ水を吐出する吐出部と、を備える。イオン供給部２７は、銅イオン、銀イオン、鉄イオン、亜鉛イオン、及び白金イオンのうちの少なくとも一つを供給してもよい。【選択図】図１
2018000245.tif 000002
【特許請求の範囲】
【請求項１】
水と洗剤で生成される泡沫を貯留可能な泡沫貯留部と、
前記泡沫貯留部内に気泡を発生させる気泡発生部と、
すすぎ水を生成するすすぎ水生成部と、
前記すすぎ水にイオンを供給するイオン供給部と、
前記泡沫及び前記すすぎ水を吐出する吐出部と、
を備える洗浄装置。
【請求項２】
前記イオン供給部は、銅イオン、銀イオン、鉄イオン、亜鉛イオン、及び白金イオンのうちの少なくとも一つを供給する請求項１に記載の洗浄装置。
【請求項３】
前記吐出部は、前記泡沫及び前記すすぎ水を吐出する共通のノズル部を備え、
前記泡沫貯留部から前記泡沫が前記ノズル部へ供給される流路形態と、前記すすぎ水生成部から前記すすぎ水が前記ノズル部へ供給される流路形態とを切り替える流路切替手段を備える請求項１または請求項２に記載の洗浄装置。
【請求項４】
前記気泡発生部は、液体流に気体を混合するエジェクタ、液体中に気体を放出する多数の孔を有する多孔質体、及び、液体に超音波を照射する超音波照射手段、のうちの少なくとも一つを備える請求項１から請求項３のいずれか一項に記載の洗浄装置。
【請求項５】
前記気泡発生部は、液体流に気体を混合するエジェクタと、前記エジェクタに流入する液体流を旋回させる固定翼とを備える請求項１から請求項３のいずれか一項に記載の洗浄装置。
【請求項６】
被洗浄物を収容可能な空間を有する収容部を備え、
前記吐出部は、前記収容部に収容された前記被洗浄物に対して前記泡沫及び前記すすぎ水を吐出する請求項１から請求項５のいずれか一項に記載の洗浄装置。
【請求項７】
前記空間の下部に配置され、前記すすぎ水生成部から供給される前記すすぎ水を吐出するすすぎ水吐出部を備える請求項６に記載の洗浄装置。
【発明の詳細な説明】
【技術分野】
【０００１】
本発明は、洗浄装置に関する。
【背景技術】
【０００２】
下記特許文献１に開示された洗面台は、湯水及び石鹸の合流する集合配管と集合配管で合流した湯水及び石鹸並びに空気を混合して微細石鹸泡を発生する微細石鹸泡発生装置と、微細石鹸泡発生装置で発生した微細石鹸泡が供給されて、該微細石鹸泡を洗面ボールに吐出可能な吐水部とを備える。また、下記特許文献２には、シャボン（微細泡沫）のサイズが５〜１００μｍであるシャボン発生装置が開示されている。
【先行技術文献】
【特許文献】
【０００３】
【特許文献１】特開２０１０−５１７１２号公報
【特許文献２】特開２００８−２２０５２１号公報
【発明の概要】
【発明が解決しようとする課題】
【０００４】
泡沫の泡径が小さいと、被洗浄物に対し、高い洗浄効果が得られる。しかしながら、泡沫の泡径が小さいほど、泡沫が消えにくいため、すすぎに要する時間及び水量が増えるという課題がある。泡沫を消泡する手段として、超音波を照射する方法があるが、超音波を発生させる装置が必要になるので、装置のサイズが大きくなったり、コストが高くなったりするというデメリットがある。また、泡沫を消泡する手段として、消泡剤を用いることが考えられるが、特に食器を洗浄するような場合には、消泡剤自体をよく洗い流すことが必要になるため、消泡手段として適していない。
【０００５】
本発明は、上述のような課題を解決するためになされたもので、簡易な構成で泡沫の消泡を促進できる洗浄装置を提供することを目的とする。
【課題を解決するための手段】
【０００６】
本発明に係る洗浄装置は、水と洗剤で生成される泡沫を貯留可能な泡沫貯留部と、泡沫貯留部内に気泡を発生させる気泡発生部と、すすぎ水を生成するすすぎ水生成部と、すすぎ水にイオンを供給するイオン供給部と、泡沫及びすすぎ水を吐出する吐出部と、を備えるものである。
【発明の効果】
【０００７】
本発明の洗浄装置によれば、簡易な構成で泡沫の消泡を促進することが可能となる。
【図面の簡単な説明】
【０００８】
【図１】実施の形態１の洗浄装置を示す構成図である。
【図２】実施の形態１の洗浄装置を用いた洗浄動作を示すフローチャートである。
【図３】実施の形態２の洗浄装置を示す構成図である。
【図４】実施の形態３の洗浄装置を示す構成図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の洗浄装置１を示す構成図である。本実施の形態１の洗浄装置１は、対象物を洗浄するための泡沫を生成できる。本明細書において、泡沫とは、気泡が多数集まることで形成されるクリーム状の泡（フォーム：ｆｏａｍ）を言うものとする。泡沫は、水と、洗剤すなわち界面活性剤とから生成される。以下の説明では、洗剤が混合された水を「洗浄水」と称し、洗浄装置１が洗浄する対象物を「被洗浄物」と称する。被洗浄物は、例えば、食器、調理具等でもよい。
【００１１】
図１に示すように、本実施の形態の洗浄装置１は、泡沫貯留部２、気泡発生部６、すすぎ水生成部９等を備える。泡沫貯留部２は、洗浄水及び泡沫を貯留可能な内部空間を有する。泡沫貯留部２の内部空間に貯留された洗浄水の水面９５すなわち気液界面の上に、泡沫が生成される。本実施の形態における泡沫貯留部２は、鉛直方向を長手方向とする筒状の容器である。図１は、泡沫貯留部２を模式的な断面図として表している。洗浄装置１は、後述する弁類及びポンプ類等の動作を制御する制御装置５０をさらに備えてもよい。
【００１２】
気泡発生部６は、泡沫貯留部２内に気泡を発生させる。気泡発生部６は、循環ポンプ７、気泡発生器８及び循環流路２９を備える。循環ポンプ７及び気泡発生器８は、循環流路２９の途中に配置されている。循環流路２９は、泡沫貯留部２に接続されている。循環ポンプ７を運転すると、泡沫貯留部２内から循環流路２９へ洗浄水が引き込まれる。その洗浄水は、循環流路２９に沿って流れて、循環ポンプ７及び気泡発生器８を経由して、泡沫貯留部２内へ再び流入する。
【００１３】
気泡発生器８は、循環流路２９を流れる洗浄水に気体を導入することで気泡を生成する。気泡発生器８は、循環流路２９において循環ポンプ７の下流側に配置されている。気泡発生器８には、吸気通路３０が接続されている。気泡発生器８は、吸気通路３０から吸入される気体（例えば空気）を、循環流路２９を流れる洗浄水に混合することで気泡を発生させる。
【００１４】
気泡発生器８は、例えば、以下のような構造を有するエジェクタでもよい。エジェクタは、水の流路を縮径させる縮径部を有する。この縮径部に発生する負圧により、吸気通路３０から気体を自然吸気できる。当該縮径部において、洗浄水の流れに対して垂直な方向から、吸気通路３０を通って気体が導入される。エジェクタの上流側の位置には、エジェクタに流入する液体流すなわち水流を旋回させる固定翼が備えられていることが好ましい。固定翼は、例えば、流路の軸線を中心とする旋回流を形成する。固定翼により形成される洗浄水の旋回流が気泡をせん断して微細化することで、泡沫貯留部２内に供給される気泡の泡径をより小さくできる。
【００１５】
吸気通路３０から吸気する方法は、自然吸気に限定されない。エアポンプ（図示せず）を用いて強制的に空気を気泡発生器８へ供給してもよい。
【００１６】
本発明における気泡発生部は、上記のようなエジェクタを有するものに限定されない。例えば、気泡発生部は、多孔質体（図示せず）が備える多数の微細な孔から洗浄水の中に気体を放出することで気泡を生成するものでもよい。その場合、多孔質体は、泡沫貯留部２の内部に配置されてもよい。エアポンプ（図示せず）から多孔質体へ空気を送り、多孔質体の多数の微細な孔から洗浄水の中に空気を放出することができる。多孔質体の材質は、例えば、金属メッシュ、セラミックス、樹脂材料などでもよい。または、気泡発生部は、洗浄水に超音波を照射する超音波照射手段を備えるものでもよい。例えば、２０ｋＨｚから数ＭＨｚの周波数範囲の超音波を超音波照射手段から洗浄水に照射することで、気泡、特に微細な気泡を発生することが可能である。
【００１７】
本実施の形態の洗浄装置１は、洗剤を貯留する洗剤貯留部５を備える。洗剤貯留部５は、気泡発生器８の下流側の循環流路２９に接続されている。洗剤貯留部５と循環流路２９との間に設けられた弁１９を開くことで、循環流路２９内に洗剤貯留部５から洗剤を注入できる。弁１９は、循環流路２９を流れる水流が洗剤貯留部５へ逆流することを防止する逆止弁の機能を兼ね備えるものでもよい。図示の構成に代えて、洗剤貯留部５から直接泡沫貯留部２内に洗剤を注入可能な構成でもよい。
【００１８】
気泡発生部６により泡沫貯留部２内に気泡を発生させることで、泡沫貯留部２の内部の洗浄水の水面９５の上に、泡沫が生成される。このようにして泡沫を生成する動作を以下「泡沫生成動作」と称する。泡沫生成動作では、以下のようになる。泡沫貯留部２の内部の洗浄水の中に供給された気泡は、浮力により、洗浄水の水面９５へ向かって浮上する。気泡が洗浄水の水面９５の上に浮上するときに、気泡の外周が洗剤すなわち界面活性剤で覆われた状態で多数集まることで、泡沫が生成される。泡沫が生成され始めると、泡沫は、洗浄水の水面９５の上へ隆起する。泡沫生成動作が継続されることで、水面９５の上の泡沫が成長を続ける。やがて、泡沫貯留部２内の水面９５の上の空間に泡沫が充満する。
【００１９】
泡沫貯留部２の上部には、導管１２が接続されている。導管１２の先端部には、泡沫を吐出するノズル部１３が設けられている。導管１２は、泡沫貯留部２の内部の泡沫をノズル部１３へ送る通路を有する。泡沫貯留部２内の水面９５の上の空間に泡沫が充満した後も泡沫生成動作が継続されることで、泡沫貯留部２内から導管１２を通ってノズル部１３まで泡沫が到達し、ノズル部１３より泡沫が吐出される。
【００２０】
本実施の形態であれば、以下の効果が得られる。ノズル部１３から吐出した泡沫を、泡沫貯留部２の外部にある被洗浄物に付着させることができるので、洗浄時の泡沫の使用量を抑制できる。泡沫の使用量を抑制することで、洗浄後のすすぎ工程の処理、すなわち泡沫を消す消泡処理が容易になる。泡沫貯留部２は、被洗浄物を入れないので、容積を小さくできる。泡沫貯留部２の容積が小さいことで、洗浄水の消費量を抑制できる。泡沫貯留部２の容積が小さいことで、泡沫貯留部２での泡沫生成動作の開始から、ノズル部１３が泡沫を吐出するまでの時間を短縮できる。
【００２１】
ノズル部１３は、泡沫貯留部２に対して、移動可能でもよい。例えば、ノズル部１３及び導管１２が、泡沫貯留部２に対して、回転移動可能でもよい。導管１２は、硬質の材料で構成されたものでもよい。または、導管１２は、ホースまたは蛇腹管のような、曲げることのできる部材で構成されていてもよい。導管１２は、長さを伸縮できる構造でもよい。導管１２を曲げることができるようにしたり、導管１２の長さを伸縮できるようにしたりすることで、ノズル部１３を被洗浄物の近くに移動できるので、使い勝手が向上する。
【００２２】
ノズル部１３の下に被洗浄物を配置することで、ノズル部１３から吐出された泡沫を被洗浄物の上部に供給できる。泡沫に含まれる洗浄成分により被洗浄物に付着している汚れを除去できる。被洗浄物の上部に付着した泡沫は、重力により、被洗浄物の下部へ移動する。被洗浄物の表面を泡沫が移動することで、被洗浄物の表面の汚れに対してずり応力、すなわちせん断応力が作用するので、少ない量の泡沫でも当該汚れをより効率良く落とすことが可能となる。
【００２３】
気泡発生部６により生成される気泡の体積平均径は、例えば、６０μｍから１０００μｍの範囲内でもよい。なお、泡径は、例えば、レーザ回折・散乱法、粒子トラッキング解析法、動的光散乱法、共振式質量測定法などにより測定できる。気泡発生部６より生成される気泡には、１μｍから５０μｍの範囲の直径を有する気泡が含まれることが好ましい。直径が１μｍから５０μｍの範囲の気泡が含まれる場合には、生成される泡沫のきめがより細かくなることで被洗浄物との接触面積が向上し、より高い洗浄効果が得られる。
【００２４】
すすぎ水生成部９は、イオンを含むすすぎ水を生成する。給水部４は、泡沫貯留部２及びすすぎ水生成部９に給水する流路を備える。給水部４は、例えば水道等の水源から供給される水を泡沫貯留部２及びすすぎ水生成部９へ導く。弁１６を開くと、給水部４から泡沫貯留部２へ水が供給される。弁１６を閉じると、給水部４から泡沫貯留部２への給水が停止する。弁１５を開くと、給水部４からすすぎ水生成部９へ水が供給される。弁１５を閉じると、給水部４からすすぎ水生成部９への給水が停止する。
【００２５】
ノズル部１３から吐出された泡沫で被洗浄物を洗浄した後、すすぎ水生成部９で生成されたすすぎ水を用いてすすぎを行う。すすぎ水生成部９で生成されたすすぎ水には、陽イオンが含まれる。この陽イオンの作用により、泡沫の表面張力を低下させ、泡膜の薄化を促進させ、迅速に消泡することができる。このため、消泡に要する時間及び水量が少なくて済む。
【００２６】
洗浄装置１は、すすぎ水にイオンを供給するイオン供給部２７を備える。イオン供給部２７は、すすぎ水生成部９の内部に設置されている。イオン供給部２７は、陽イオン（金属イオン）を供給するものでもよい。イオン供給部２７は、例えば、一対の電極を備え、その電極間に電圧を印加し、電極から金属イオンを溶出させるものでもよい。または、イオン供給部２７は、イオン含有物を備えるものでもよい。イオン含有物は、例えば、イオン交換樹脂、イオン練りこみ樹脂、イオンを担持した水溶性ガラス、のうちの少なくとも一つでもよい。例えば、イオン供給部２７は、イオン交換樹脂によるイオン交換を行うことでイオンを供給してもよい。あるいは、イオン供給部２７は、イオン練りこみ樹脂、または、イオンを担持した水溶性ガラスからイオンを溶出させることでイオンを供給してもよい。イオン供給部２７は、例えば、カルシウムイオン、マグネシウムイオン、及びバナジウムイオンのうちの少なくとも一つを供給してもよい。
【００２７】
イオン供給部２７から供給されるイオンには、銅イオン、銀イオン、鉄イオン、亜鉛イオン、及び白金イオンのうちの少なくとも一つが含まれてもよい。銅イオン、銀イオン、鉄イオン、亜鉛イオン、及び白金イオンのうちの少なくとも一つの金属イオンを含むすすぎ水を用いることで、泡沫の消泡を促進する効果に加えて、すすぎ終了後の被洗浄物の表面を当該金属イオンによって抗菌することが可能となる。
【００２８】
泡沫貯留部２と導管１２との間には、流路切替弁１８が設置されている。流路切替弁１８は、例えば、三方弁でもよい。すすぎ水通路１１は、すすぎ水生成部９と流路切替弁１８との間をつなぐ。流路切替弁１８は、泡沫貯留部２の上部を導管１２に連通させてすすぎ水通路１１を遮断する第一流路形態と、すすぎ水通路１１を導管１２に連通させて泡沫貯留部２の上部を遮断する第二流路形態とに切り替え可能である。ノズル部１３から泡沫を吐出するときには、流路切替弁１８が第一流路形態とされる。流路切替弁１８を第二流路形態に切り替えることで、すすぎ水生成部９で生成されたすすぎ水を、すすぎ水通路１１、流路切替弁１８、及び導管１２を介して、ノズル部１３から吐出することができる。流路切替弁１８は、泡沫貯留部２から泡沫がノズル部１３へ供給される流路形態と、すすぎ水生成部９からすすぎ水がノズル部１３へ供給される流路形態とを切り替える流路切替手段の例である。
【００２９】
本実施の形態におけるノズル部１３は、泡沫及びすすぎ水を吐出する吐出部の例である。本実施の形態では、泡沫及びすすぎ水を、共通のノズル部１３から吐出可能であることで、以下の効果が得られる。泡沫を吐出する吐出部と、すすぎ水を吐出する吐出部とを別々に備える構成に比べて、装置の小型化が図れる。
【００３０】
泡沫貯留部２の底部には、排水部３が接続されている。弁１７を開くと、泡沫貯留部２内の洗浄水が排水部３を通って外部へ排出される。すすぎ水生成部９の底部には、排水部１０が接続されている。弁１４を開くと、すすぎ水生成部９内の水が排水部１０を通って外部へ排出される。排水部３，１０は、下水管に接続されてもよい。
【００３１】
本実施の形態であれば、気泡を含む洗浄水ではなく、クリーム状の泡沫を被洗浄物に付着させることで洗浄を行うことができる。このため、洗浄水の使用量が少ないので、水及び洗剤の消費量を抑制できる。また、例えばガラス製品、めっき製品などのデリケートな被洗浄物を洗浄する際でも、被洗浄物を傷つけることを確実に抑制できる。
【００３２】
図２は、実施の形態１の洗浄装置１を用いた洗浄動作を示すフローチャートである。例えば、洗浄装置１に備えられた洗浄開始ボタン（図示省略）をユーザーが押下することで、洗浄装置１の動作が開始する。この時点で、泡沫貯留部２の内部は空である。まず、制御装置５０は、排水部３の弁１７を閉じた状態とし、給水部４の弁１６を開くことで泡沫貯留部２内へ給水する（図２のステップＳ１）。これにより、泡沫貯留部２の内部に水が溜まっていき、泡沫貯留部２内の水位が上昇していく。気泡発生部６の位置、すなわち循環流路２９と泡沫貯留部２との接続位置よりも高い水位まで水が溜まると、制御装置５０は、給水部４の弁１６を閉じることで、泡沫貯留部２内への給水を停止する。
【００３３】
次に、制御装置５０は、洗剤貯留部５の弁１９を開くことで、洗剤貯留部５から気泡発生部６の循環流路２９内へ洗剤を供給する（ステップＳ２）。次に、制御装置５０は、気泡発生部６の循環ポンプ７の運転を開始する（ステップＳ３）。これにより、泡沫貯留部２内の洗浄水が、気泡発生部６の循環流路２９へ循環する（ステップＳ４）。洗浄水が循環流路２９へ循環すると、気泡発生器８で気泡が生成され、その気泡が泡沫貯留部２内に流入する。泡沫貯留部２内で気泡が水面９５の上に浮上することで、水面９５の上に泡沫が生成される（ステップＳ５）。泡沫生成動作が継続されることで、泡沫貯留部２内の水面９５の上に泡沫が充満し、泡沫が導管１２へ流出する（ステップＳ６）。その泡沫は、導管１２を通過し、ノズル部１３から吐出される（ステップＳ７）。ノズル部１３から吐出された泡沫が被洗浄物を覆うことで、被洗浄物が洗浄される（ステップＳ８）。
【００３４】
泡沫による被洗浄物の洗浄が終了すると、制御装置５０は、流路切替弁１８を第一流路形態から第二流路形態へ切り替えるとともに、給水部４の弁１５を開くことですすぎ水生成部９内へ給水する（ステップＳ９）。すすぎ水生成部９内で、イオンを含んだすすぎ水が生成される。そのすすぎ水が、すすぎ水通路１１、流路切替弁１８、及び導管１２を通り（ステップＳ１０）、ノズル部１３から吐出される（ステップＳ１１）。ノズル部１３から吐出されたすすぎ水は、被洗浄物を覆っていた泡沫を洗い流すとともに、泡沫を消泡する（ステップＳ１２）。
【００３５】
本実施の形態では、導管１２に操作部２８が設置されている。操作部２８により、導管１２の途中にある弁（図示せず）の開閉を操作できるように構成してもよい。その場合には、ユーザーが操作部２８を操作することで、ノズル部１３からの泡沫またはすすぎ水の吐出を、容易に一時停止したり再開したりできる。
【００３６】
一般に、泡径の小さい泡沫は、被洗浄物に対して高い洗浄効果を奏する一方で、消泡しにくいという課題がある。本実施の形態の洗浄装置１であれば、すすぎ水生成部９で生成されたすすぎ水に含まれる陽イオンの作用により、泡径の小さい泡沫であっても、迅速に消泡することができる。このため、泡径の小さい、洗浄効果の高い泡沫を用いることと、泡沫の消泡に要する時間及び水量を少なくすることとを両立することが可能となる。
【００３７】
実施の形態２．
次に、図３を参照して、実施の形態２について説明するが、上述した実施の形態１との相違点を中心に説明し、同一部分または相当部分については説明を簡略化または省略する。図３は、実施の形態２の洗浄装置２０を示す構成図である。本実施の形態２の洗浄装置２０は、食器等の被洗浄物９０を収容可能な空間３１を有する収容部２１を備え、かつ、実施の形態１の洗浄装置１に類似した洗浄装置を内蔵した食器洗浄装置である。
【００３８】
図３に示すように、洗浄装置２０は、さらに、収容部２１内から排水するための収容部排水部２２と、収容部排水部２２から排出された水を受ける排水受け部２３と、全体排水部２４とを備える。導管１２及びノズル部１３は、収容部２１内の空間３１の上部に配置されている。ノズル部１３には、泡沫及びすすぎ水を吐出する複数の孔が形成されている。全体排水部２４は、下水管に接続される。
【００３９】
次に、洗浄装置２０の動作について説明する。洗浄装置２０の動作は、制御装置５０により制御される。被洗浄物９０が収容部２１内の空間３１に収容され、洗浄運転が開始されると、まず、給水部４から泡沫貯留部２に給水される。次に、洗剤貯留部５から気泡発生部６に洗剤が供給される。次に、気泡発生部６の循環ポンプ７を稼働させ、泡沫貯留部２と気泡発生部６との間で洗浄水を循環させる。泡沫貯留部２の水面９５の上に泡沫が生成される。泡沫貯留部２で生成された泡沫は、導管１２を通り、ノズル部１３から、収容部２１内の被洗浄物９０へ向かって吐出される。被洗浄物９０は、ノズル部１３から吐出される泡沫で覆われる。泡沫による被洗浄物９０の洗浄が終了した後、流路切替弁１８が第一流路形態から第二流路形態へ切り替えられ、給水部４からすすぎ水生成部９に給水する。すすぎ水生成部９で生成されたすすぎ水は、すすぎ水通路１１及び導管１２を通り、ノズル部１３から、収容部２１内の被洗浄物９０へ向かって吐出される。すすぎ水は、被洗浄物９０を覆っていた泡沫を消泡する。収容部２１内の空間３１の底部に流下したすすぎ水は、収容部排水部２２を通って排水受け部２３へ排出される。排水受け部２３は、排出されたすすぎ水を全体排水部２４へ導き、全体排水部２４から外部へ排出させる。
【００４０】
ノズル部１３が、少なくとも部分的に、導管１２の内部へ引っ込められるように構成されていてもよい。すなわち、ノズル部１３が図３中で左方向へ移動して導管１２に収納可能になっていてもよい。ノズル部１３を導管１２に収納した状態にすることで、被洗浄物９０を収容部２１に入れたり被洗浄物９０を収容部２１から出したりする作業のときに、ノズル部１３が邪魔にならないようにできる。ノズル部１３を導管１２に対して自動的に出し入れするアクチュエータ（図示せず）が備えられてもよい。
【００４１】
本実施の形態２であれば、すすぎ水生成部９で生成されたすすぎ水に含まれる陽イオンの作用により、泡沫の表面張力を低下させ、泡膜の薄化を促進させ、迅速に消泡することができる。特に、泡径の小さい泡沫、すなわち洗浄効果の高い泡沫を用いる場合であっても、被洗浄物９０に付着した泡沫及び収容部２１内の空間３１の下部に溜まった泡沫の消泡に要する時間及び水量が少なくて済む。
【００４２】
実施の形態３．
次に、図４を参照して、実施の形態３について説明するが、上述した実施の形態との相違点を中心に説明し、同一部分または相当部分については説明を簡略化または省略する。図４は、実施の形態３の洗浄装置２０を示す構成図である。
【００４３】
図４に示す本実施の形態３の洗浄装置２０は、実施の形態２の洗浄装置２０と比べて、すすぎ水吐出部２５及び弁２６をさらに備えること以外は同じである。すすぎ水吐出部２５は、収容部２１内の空間３１の下部に配置されている。すすぎ水吐出部２５は、すすぎ水生成部９の下部の側面に接続されている。弁２６が開くと、すすぎ水生成部９から供給されるすすぎ水が、すすぎ水吐出部２５から収容部２１内の空間３１の下部へ吐出される。すすぎ水吐出部２５からのすすぎ水の吐出方向は、実質的に水平な方向である。
【００４４】
本実施の形態３であれば、実施の形態２と同じ効果に加えて、以下の効果が得られる。ノズル部１３からすすぎ水を吐出することで被洗浄物９０を覆っていた泡沫を洗い流した後に、すすぎ水吐出部２５からすすぎ水を吐出する。これにより、収容部２１内の空間３１の下部に溜まった泡沫を、より迅速に消泡できる。このため、泡沫の消泡に要する時間及び水量をさらに少なくできる。
【符号の説明】
【００４５】
１  洗浄装置、  ２  泡沫貯留部、  ３  排水部、  ４  給水部、  ５  洗剤貯留部、  ６  気泡発生部、  ７  循環ポンプ、  ８  気泡発生器、  ９  すすぎ水生成部、  １０  排水部、  １１  すすぎ水通路、  １２  導管、  １３  ノズル部、  １４，１５，１６，１７  弁、  １８  流路切替弁、  １９  弁、  ２０  洗浄装置、  ２１  収容部、  ２２  収容部排水部、  ２３  排水受け部、  ２４  全体排水部、  ２５  すすぎ水吐出部、  ２６  弁、  ２７  イオン供給部、  ２８  操作部、  ２９  循環流路、  ３０  吸気通路、  ３１  空間、  ５０  制御装置、  ９０  被洗浄物、  ９５  水面
【図１】
2018000245.tif 000003
【図２】
2018000245.tif 000004
【図３】
2018000245.tif 000005
【図４】
2018000245.tif 000006